(57)【要約】      （修正有）【課題】多くの使用態様に適応し、使用勝手の優れたＬＥＤランプを用いた携行用照明器具を提供する。【解決手段】表面にＬＥＤランプ及びそのＬＥＤランプをＯＮ、ＯＦＦするスイッチを備えた携行用照明器具において、その携行用照明器具本体ケースは第一のベース部材に装着され、その第一のベース部材は上下端に設けられた取り付けバーを第二ベース部材の受部に嵌め付けることで連結され、その第二のベース部材は一方端に突出形成された嵌装部を第三ベース部材の一方端に形成されたブラケットに枢動自在に装着されていることとする。【選択図】図１
0003162958.tif 000002
【実用新案登録請求の範囲】
【請求項１】
表面にＬＥＤランプ及びそのＬＥＤランプをＯＮ、ＯＦＦするスイッチを備えた携行用照明器具において、その携行用照明器具本体ケースは第一のベース部材に装着され、その第一のベース部材は上下端に設けられた取り付けバーを第二ベース部材の受部に嵌め付けることで連結され、その第二のベース部材は一方端に突出形成された嵌装部を第三ベース部材の一方端に形成されたブラケットに枢動自在に装着されていることを特徴とする携行用照明器具。
【請求項２】
前記した嵌装部には全周にラッチを形成した円柱部が設けられ、このラッチと第三ベース部材のブラケット間に設けられた係止爪が係合され、前記した枢動は所定角度で保持されることを特徴とする請求項１に記載の携行用照明器具。
【請求項３】
前記した第三ベース部材にはオプション部材の取り付け孔が設けられ、その取り付け孔には、目的の個所に位置決めするためのフック部材や、マグネット部材を着脱自在としたことを特徴とする請求項１から２のうち１項に記載の携行用照明器具。
【請求項４】
前記した第三ベース部材の端部には装着用ベルトの挿通部が備えられていることを特徴とする請求項１から３のうち１項に記載の携行用照明器具。
【請求項５】
前記した第一ベース部材、第二ベース部材、第三ベース部材は装着位置にフィットするように湾曲形成されていることを特徴とする請求項１から４のうち１項に記載の携行用照明器具。
【請求項６】
前記したスイッチは、少なくとも表面に突起を設けてあることを特徴とする請求項１から５のうち１項に記載の携行用照明器具。
【請求項７】
充電の過放電回路はリチウム電池の内部に組み込まれていることを特徴とする請求項１から６のうち１項に記載の携行用照明器具。
【請求項８】
前記したＬＥＤランプの輝度、照度のコントロールはマイクロコンピュータで行なうことを特徴とする請求項１から７のうち１項に記載の携行用照明器具。
【考案の詳細な説明】
【技術分野】
【０００１】
本考案は携行用照明器具、特にＬＥＤランプを使用し、そのＬＥＤランプの輝度、照度をコントロールすることができる携行用照明器具に関する。
【背景技術】
【０００２】
従来、携行用照明器具として代表的なものは懐中電灯が知られているが、この懐中電灯は豆電球を電源としているため、輝度、照度ともに弱く、光の及ぶ範囲も限定されてしまい、加えて、片手で握持して使用することとなるので、手の自由がきかない不便さがあった。
【０００３】
そこで、近時、輝度、照度とも優れ、光の及ぶ範囲も広くなるＬＥＤ電球を電源とした携行用照明器具が開発されているが、この従来知られているものは、使用形態が定形化されてしまい、多くの状況に応じて使用することができず、使い勝手が良好なものではなかった。
【先行技術文献】
【特許文献】
【０００４】
出願人は、本願考案について、先行する技術文献を調査したが、格別に本願考案と関連し、類似すると思われる文献は発見できなかった。
【考案の概要】
【考案が解決しようとする課題】
【０００５】
本願考案が解決しようとする問題点は、ＬＥＤランプを用いた携行用照明器具であって、多くの使用態様に適応し、使用勝手の優れた製品は存在していなかったという点である。
【課題を解決するための手段】
【０００６】
上記した問題点を解決するために、本考案に係る携行用照明器具は、表面にＬＥＤランプ及びそのＬＥＤランプをＯＮ、ＯＦＦするスイッチを備えた携行用照明器具において、その携行用照明器具本体ケースは第一のベース部材に装着され、その第一のベース部材は上下端に設けられた取り付けバーを第二ベース部材の受部に嵌め付けることで連結され、その第二のベース部材は一方端に突出形成された嵌装部を第三ベース部材の一方端に形成されたブラケットに枢動自在に装着されていることを特徴としている。
【０００７】
また、本考案に係る携行用照明器具は、前記した嵌装部には全周にラッチを形成した円柱部が設けられ、このラッチと第三ベース部材のブラケット間に設けられた係止爪が係合され、前記した枢動は所定角度で保持されることを特徴としている。
【０００８】
さらに、本考案に係る携行用照明器具は、前記した第三ベース部材にはオプション部材の取り付け孔が設けられ、その取り付け孔には、目的の個所に位置決めするためのフック部材や、マグネット部材を着脱自在としたことを特徴とし、前記した第三ベース部材の端部には装着用ベルトの挿通部が備えられていることを特徴とし、前記した第一ベース部材、第二ベース部材、第三ベース部材は装着位置にフィットするように湾曲形成されていることを特徴としている。
【０００９】
そして、本考案に係る携行用照明器具は、前記したスイッチは、少なくとも表面に突起を設けてあることを特徴とし、充電の過放電回路はリチウム電池の内部に組み込まれていることを特徴とし、前記したＬＥＤランプの輝度、照度のコントロールはマイクロコンピュータで行なうことを特徴としている。
【考案の効果】
【００１０】
本考案に係る携行用照明器具は上記のように構成されている。そのため、幾つものベース部材の使用によってバリエーションのある使用形態が実現され、それらの部材の組み合わせに困難性はなく、コンパクトでありながら、多くの使用状況に対応することができるものとなっている。
【図面の簡単な説明】
【００１１】
【図１】本考案を実施した携行用照明器具の全体を示す斜視図である。
【図２】右側面図である。
【図３】左側面図である。
【図４】第一のベース部材を示す図である。
【図５】第二のベース部材を示す図である。
【図６】第三のベース部材を示す図である。
【図７】フック部材を装着した図である。
【図８】フック部材を示す図である。
【図９】マグネット部材を装着した図である。
【図１０】第三のベース部材と他のパートを枢動させた図である。
【図１１】ＯＮスイッチの押圧部材を示す図である。
【図１２】ＯＮスイッチの押圧部材の裏面を示す図である。
【考案を実施するための形態】
【００１２】
図面として示し、実施例で説明したように構成したことで実現した。
【実施例１】
【００１３】
次に、本考案の好ましい実施の一例を図面を参照して説明する。これらの図にあって１は本体ケースを示している。この本体ケース１の前面略中央には照明源となるＬＥＤランプの設置部２が設けられるとともに、ＯＮ、ＯＦＦ用スイッチ３とパイロット用ＬＥＤ４が備えられている。このスイッチ３は押圧式のものとされている。このスイッチ３では光の輝度、照度が切り替えられ、強い光で約３時間、普通の光で約６時間持続する。
【００１４】
この本体ケース１は一側面に電源となるリチウム電池の充電部６が設けられている。本考案に係る場合は、このリチウム電池の内部に過放電回路を組み込んでおり、ＬＥＤの輝度の基準や切り変え、照度の時間等をマイコンでコントロールするものとなっており、ソフトの組み換えによって目的に応じた設定変更を柔軟に行なうことができるものとしてある。リチウム電池の残量が１５％と５％となると、それぞれ、ＬＥＤの点滅の周期を変え、消灯して、電池容量が少なくなっていることを告知するものとなっている。尚、この充電部６は防水性を高めるためカバーが施されているものでＵＳＢ等、携帯電話機用の充電装置での充電も可能としている。
【００１５】
また、前記した本体ケース１は第一のベース部材７に装着されている。この第一のベース部材７は前面側に本体ケース１の後面を受ける受部８が設けられ、その受部８に対し、本体ケース１が装着される。この第一のベース部材７の上下側端には各々ブラケット９、９間に取り付けバー１０、１０が一体に架設されている。
【００１６】
前記した第一のベース部材７は第二のベース部材１１に装着されている。この第二のベース部材１１は上下の端部上に各々一対の断面略Ｕ字状としたバー受部１２、１２が設けられており、このバー受部１２、１２に前記した取り付けバー１０、１０を嵌め付けることで装着される。この第二のベース部材１１の左側縁には切り欠き１３を介して一対のブラケット１４、１４が突設され、そのブラケット１４、１４間には全周に軸芯方向に沿ったラッチ１５を形成した円筒体１６が挟持されているもので、この円筒体１６とブラケット１４、１４には中心部を貫通する貫通孔１７が設けられている。
【００１７】
さらに、前記した第二のベース部材１１は第三のベース部材１８に装着されている。この装着は第三のベース部材１８の左側縁に突出された一対のブラケット１９、１９間に、第二のベース部材１１のブラケット１４、１４を嵌め合せ、ブラケット１９、１９に形成されている貫通孔２０、２０と前記した貫通孔１７を直線的に連通させて、そこに、図示しないネジ等の芯材を挿通することで枢支状態として一体的に装着する。
【００１８】
また、第三のベース部材１８のブラケット１９、１９間の位置には、前記した円筒体１６のラッチ１５、１５‥と先端を係合する弾性を保有した係止爪２１が設けられ、この第三のベース部材１８を位置決めして、第二のベース部材（第一のベース部材７及びケース本体１を含めて）１１を枢動させた時に、係止爪２１とラッチ１５、１５‥により、その枢動角度を段階的に維持することを可能としている。
【００１９】
この第三のベース部材１８の上下端部にはベルト挿通部２２、２２が一体形成され、ここにベルトを挿通することで、手首やヘルメットへの装着を可能なものとしている。更に、この第三のベース部材１８の略中央には矩形をしたオプション部材の取り付け用透孔２３が設けられており、この透孔２３の内縁には段差を設けて止着用の突片２４、２４が形成されている。
【００２０】
取り付け用透孔２３にはフック部材２５が取り付けられる。このフック部材２５は途中で屈曲された構成とされ、その短片部分に、前記した突片２４、２４と係合する係合片２６が設けられているもので、この係合片２６、２６部分を透孔２３内に挿し入れ、摺動させることで、装着がなされ、また、取り外しも出来る。このフック部材２５によって衣服のポケットをはじめ、自転車の買い物カゴ等、目的とする位置に引っ掛け位置決めすることができる。
【００２１】
前記したと同様にして、マグネット２７を装着することもでき、このマグネット２７によって、スチールのキャビネットや電気冷蔵庫等の家電製品に装着することも可能となり、この携行用照明器具の使用範囲、用途を大きく広げることができる。
【００２２】
一方、前記したＯＮ用スイッチ３の表面は、同心状とした長円突条３ａ、３ａ‥が形成され、その最内の突条３ａ内には複数の突起３ｂ、３ｂ‥が並列されている。これは、暗所でスイッチを操作する時、視覚のみでなく、触感によって、そのスイッチ３の位置を確認することができるようにするためである。
【００２３】
このＯＮ用スイッチ３はコイルスプリングを使用せず、弾性を有するプラスチック製のフレーム２８で一体的に連結されている。尚、このＯＮ用スイッチ３の裏面には十字形の押圧子２９が一体に設けられている。
【００２４】
そして、前記した第三のベース部材１８をはじめ、第二のベース部材１１、第一のベース部材７も湾曲形成されており、手首への装着時にフィットするように図られている。
【産業上の利用可能性】
【００２５】
本実施例に係る携行用照明器具は上記のように構成されている。本実施例では全体の形状を角丸の矩形としているが、この外形はこだわるものではなく、好みに応じたデザインとして実施することも可能である。
【符号の説明】
【００２６】
１    本体ケース
２    ＬＥＤランプの設置部
３    スイッチ
３ａ  突条
３ｂ  突起
４    パイロット用ＬＥＤ
６    充電部
７    第一のベース部材
８    受部
９    ブラケット
１０  取り付けバー
１１  第二のベース部材
１２  バー受部
１３  切り欠き
１４  ブラケット
１５  ラッチ
１６  円筒体
１７  貫通孔
１８  第三のベース部材
１９  ブラケット
２０  貫通孔
２１  係止爪
２２  ベルト挿通部
２３  透孔
２４  突片
２５  フック部材
２６  係合片
２７  マグネット
２８  フレーム
２９  押圧子
【図１】
0003162958.tif 000003
【図２】
0003162958.tif 000004
【図３】
0003162958.tif 000005
【図４】
0003162958.tif 000006
【図５】
0003162958.tif 000007
【図６】
0003162958.tif 000008
【図７】
0003162958.tif 000009
【図８】
0003162958.tif 000010
【図９】
0003162958.tif 000011
【図１０】
0003162958.tif 000012
【図１１】
0003162958.tif 000013
【図１２】
0003162958.tif 000014